(57)【要約】【課題】    ＣＤ・ＤＶＤ・ＭＯ他同類のケース等を本棚やＢＯＸならびに陳列棚に縦に立てて収納したときにタイトルを確認でき、且つ目的のケースを容易に取り出そうとする。【解決手段】    ＣＤ・ＤＶＤ・ＭＯ他同類のケース等を縦に立てた高さの二分の一で、ケース厚みより少し大でプラスティク樹脂の柔軟性を利用しケースを挟み、背側上下部にドア状のパネルベースを支持する穴の開いたヒンジ兼プルチップを有するコ型プラスティク樹脂製クリップと、ドア状ラベルベースパネルで構成したケースクリップ・ラベルベースである。【選択図】  図１
0003119445.tif 000002
【実用新案登録請求の範囲】
【請求項１】
背見出し幅より倍大きいタイトルを貼れるラベルベースを持ち、ケースを見つけ易くし、また隣のケースのラベルベースを邪魔しないよう高さをケースの二分の一にしたことを特徴とするケースクリップ。
【請求項２】
クリップ先端に突起状のラインを付け、掴み力を補強し、ケースを取り出し易くしたことを特徴とするケースクリップ。
【請求項３】
ヒンジ部をプルチップとして共用し、ケースを引き出し易くしたことを特徴とするケースクリップ。
【請求項４】
９０°可動し柔らかくロックすることとし、両面にラベルを貼れるようにしたことを特徴とするタイトルラベルベースを有するケースクリップ。
【考案の詳細な説明】
【考案の詳細な説明】
【技術分野】
【０００１】  この考案は、ＣＤ・ＤＶＤケース等の保管状態にある中の目的ケースを発見し、取り出しを容易にする事に関する。
【背景技術】
【０００２】  現在は、図２〜図４のように背見出しにタイトル名を印刷またはプリントして使用している。
【考案の開示】
【考案が解決しようとする課題】
【０００３】  ＣＤ・ＤＶＤ・ＭＯ他同類のケース等を本棚やＢＯＸならびに陳列棚に縦に立てて収納したとき、狭い背見出しで文字も小さくなり斜角もしくは少し距離を置いて見れば非常に読みづらく点字ラベル等も貼りにくい。本考案は、タイトルを素早く確認でき、且つ目的物を容易に取り出そうとするものである。
【問題を解決するための手段】
【０００４】  以上の課題を解決するために、第一考案は、ケース背見出し幅より倍大きいラベルベースを有するケースクリップである。  また、第二考案は、クリップ先端にケース掴みを補強する突起型ラインを有するケースクリップである。第三考案は、ヒンジ部をプルチップとして共用できる事を有するケースクリップである。  第四考案は、９０°可動することもできることを有するラベルベースである。
【考案の効果】
【０００５】上記のように、本考案はケースを挟むクリップ部と、ケース厚み幅の二倍大きいラベルベース部との僅か二個の部品からなり、大小種々のケースに対応して製作すれば、ケース厚み幅の二倍大きいタイトルラベルや点字ラベルを貼れ、それにより発見が早く、またクリップが目的のケースを掴んでいるからプルチップを摘むことによって其のケースを容易に取り出せる。このことからケース類の収納、整理整頓に大いに役立つ。
【考案の実施するための最良の形態】
【０００６】  以下、図１〜図１７を参照してケースクリップ・ラベルベースの本考案の好ましい実施例を説明する。
【実施例】
【０００７】  図５のプラスティク製のケースクリップ本体と、図６のプラスティク製のラベルベースで構成する、図１のケースクリップ・ラベルベースである。【０００８】  図５  Ｗ１は、図８  ＡケースのＷより少し狭くし（図７  Ｗ１）、ケースクリップ図５  ５をＡに挟むには図５  ５の柔軟性を利用して装着する（図８）。またその掴みを補強するため図７  ５の先端に１０ａ及び１０ｂの突起形ラインを入れ、図８  Ａケースの３の隙間に突起が噛むようにしたものである。【０００９】  図６  ８のドア状ラベルベースを支えるヒンジ兼プルチップ６ａ及び６ｂを図５  ５の上下に付け図６  ９ａ及び図６  ９ｂの軸を通す穴７ａ及び７ｂを図５  ６ａと６ｂに設け、図５  ５と図６  ８それぞれを図１のように組み立てる。【００１０】  図１０  ６ａ及び６ｂには図１  ８が９０°開いて尚且つ柔らかくロックするための緩い突起  図９  １２ａ及び１２ｂを、ストッパーとして  図９  １１ａ及び１１ｂを設ける（図９・図１０・図１１・図１２）。【００１１】  本考案実施例として図１３は図１ケースクリップ・ラベルベース組立を奇数番ケースＡ１と偶数番ケースＡ２にセットしラベルベースをケース背見出しに平行に倒して並べたものである。図１３  ５ｂ及び８ｂはケースクリップ・ラベルベース組立、図１３  ５ａを１８０°回転してできたものである。これを繰り返し置いていくことによって図１４のラベル正面置・多列連接置きができる。【００１２】  図１５のケースＡ２を取り出すには図１５  ６ｂのプルチップを矢印の方向に摘み出す、そのとき図１５  ８ａがケースＡ２に押されて図１２  ８がａ〜ｂ方向に開き図１５  Ａ２の取り出しを邪魔しない。このようにそれぞれの隣のラベルベースが開くことによって何処のケースも容易に取り出すことができる。【００１３】  又図１６のようにラベルベースをケース背見出しに垂直にしてセットして連接置きするには図１２  ８をｃの位置に移動する、このとき図１２  １２ｂの緩い突起部を越え図１２  １１ｂのストッパーとの間に挟まれゆるくロックされる。図１７  Ａ２ケースには図１６  ５ａを１８０°回転したケースクリップ・ラベルベース組立をセットする、これの繰り返しによりラベルベースが両側斜めより見えるラベル縦置・多列連接（図１７）ができる。これを取り出すには個々のラベルベースをそのまま引っ張り出せばよい。
【図面の簡単な説明】
【００１４】
【図１】本考案のケースクリップとラベルベースを組み立てたケースクリップ・ラベルベースの斜視図である
【図２】現在の標準型ＣＤ・ＤＶＤケース類の形状である。
【図３】現状の背見出しの形態である。
【図４】現状のケース類保管状況斜視図である。
【図５】本考案のケースクリップ本体斜視図である。
【図６】本考案のラベルベース斜視図である。
【図７】ケースクリップ本体を上面より見た図である。
【図８】ケースクリップ・ラベルベースをケースに装着した図である。
【図９】ケースクリップ本体の詳細斜視図である。
【図１０】ケースクリップ本体の側面図である。
【図１１】ケースクリップ本体下段ヒンジ図である。
【図１２】ケースクリップ本体下段ヒンジ上のラベルベース移動図である
【図１３】現在の標準型ＣＤ・ＤＶＤケース類にケースクリップ本体を装着し連接置きした斜視図である。
【図１４】ラベル正面置・多列連接斜視図である。
【図１５】ラベル正面置・隣接ケース取り出し図である。
【図１６】ラベル縦置・連接斜視図である。
【図１７】ラベル縦置・多列連接斜視図である。
【符号の説明】
【００１５】１    標準型ケース類の底部
２    標準型ケース類の蓋部
３    標準型ケース類の蓋部と底部の隙間
４    背見出し
５    ケースクリップ本体
６ａ  上部ヒンジ
６ｂ  下部ヒンジ
７ａ  ラベルベース上部軸受け穴
７ｂ  ラベルベース下部軸受け穴
８    ラベルベース本体
９ａ  ラベルベース上部軸
９ｂ  ラベルベース下部軸
１０ａ  ケースクリップ先端突起型ライン
１０ｂ  ケースクリップ先端突起型ライン
１１ａ  ラベルベース上部ストッパー
１１ｂ  ラベルベース下部ストッパー
１２ａ  ラベルベースロック用緩い上部突起
１２ｂ  ラベルベースロック用緩い下部突起
Ａ    標準型ケース類本体
Ａ１  １番目の標準型ケース
Ａ２  ２番目の標準型ケース
Ａ３  ３番目の標準型ケース
Ａｎ  ｎ番目の標準型ケース
Ｗ１  ケースクリップ先端掴み幅
Ｗ    標準型ケース類厚み
ａ    ラベル正面置時のラベルベースの位置
ｂ    ラベル正面置隣接ラベル取出し時のラベルベースの移動位置
ｃ    ラベル縦置時のラベルベースのロック位置
【図１】
0003119445.tif 000003
【図２】
0003119445.tif 000004
【図３】
0003119445.tif 000005
【図４】
0003119445.tif 000006
【図５】
0003119445.tif 000007
【図６】
0003119445.tif 000008
【図７】
0003119445.tif 000009
【図８】
0003119445.tif 000010
【図９】
0003119445.tif 000011
【図１０】
0003119445.tif 000012
【図１１】
0003119445.tif 000013
【図１２】
0003119445.tif 000014
【図１３】
0003119445.tif 000015
【図１４】
0003119445.tif 000016
【図１５】
0003119445.tif 000017
【図１６】
0003119445.tif 000018
【図１７】
0003119445.tif 000019
【手続補正書】
【提出日】平成17年11月16日(2005.11.16)
【手続補正１】
【補正対象書類名】実用新案登録請求の範囲
【補正対象項目名】全文
【補正方法】変更
【補正の内容】
【実用新案登録請求の範囲】
【請求項１】
背見出し幅より倍大きいタイトルを貼れるラベルベースを持ち、ケースを見つけ易くし、また隣のケースのラベルベースを邪魔しないよう高さをケースの二分の一にしたことを特徴とするケースクリップ。
【請求項２】
クリップ先端に突起状のラインを付け、掴み力を補強し、ケースを取り出し易くしたことを特徴とする請求項１記載のケースクリップ。
【請求項３】
ヒンジ部をプルチップとして共用し、ケースを引き出し易くしたことを特徴とする請求項１記載のケースクリップ。
【請求項４】
９０°可動し柔らかくロックすることとし、両面にラベルを貼れるようにしたラベルベースを有することを特徴とする請求項１記載のケースクリップ。